(57)【要約】      （修正有）【課題】看護又は介護の行為を行う者にとって容易にシャワーベッドに液体を充填することができる洗浄装置を提供する。【解決手段】洗浄装置１は、異なる温度の液体を供給する２つの外部供給器を組み合わせて使用可能であり、ベース１２と、ベース１２に直立方式で取り付けられた接続杆１１と、を有するスタンド１０と、２つの外部供給器と連通し、接続管２１１，２１２に取り付けられるとともに、２つの外部供給器から供給される液体の流量をそれぞれ制御する２つの制御弁２１４，２１５が設けられた本体２１と、本体２１と連通し、選択的に液体を接続管２１１，２１２の一側又は他側へ向けて出水させるように構成された出水管体２２とを有する出水機構２０と、を備える。接続杆１１は、伸縮可能な伸縮構造を有する。【選択図】図１
0003213348.tif 000002
【実用新案登録請求の範囲】
【請求項１】
異なる温度の液体を供給する２つの外部供給器を組み合わせて使用可能な洗浄装置であって、
ベースと、前記ベースに直立方式で取り付けられた接続杆と、を有するスタンドと、
前記２つの外部供給器と連通し、前記接続杆に取り付けられるとともに、前記２つの外部供給器から供給される前記液体の流量をそれぞれ制御する２つの制御弁が設けられた本体と、前記本体と連通し、選択的に前記液体を前記接続杆の一側又は他側へ向けて出水させるように構成された出水管体とを有する出水機構と、を備えることを特徴とする、
洗浄装置。
【請求項２】
前記接続杆は、伸縮可能な伸縮構造を有することを特徴とする請求項１に記載の洗浄装置。
【請求項３】
前記出水管体は、前記本体に枢着回転可能に接続されるとともに、前記接続杆の頂端より高い位置にある管部材と、前記管部材に形成された出水口と、を有し、前記出水口を選択的に前記接続杆の一側又は他側に位置させるように、前記管部材を前記接続杆の頂部より高い位置で３６０度旋回させることができることを特徴とする請求項１に記載の洗浄装置。
【請求項４】
前記出水管体は、分流弁を介して前記本体に取り付けられるとともに、前記接続杆の一側及び他側へ向かって延びた管部材を有し、前記管部材は、前記接続杆の一側及び他側へ向かって延びた両端にそれぞれ第１の出水口及び第２の出水口が形成され、前記分流弁により前記液体を前記第１の出水口又は前記第２の出水口へ向けて流れさせることを特徴とする請求項１に記載の洗浄装置。
【請求項５】
前記本体は、接続板を介して前記接続杆の前記ベースから離れた一端に接続され、前記接続板は、出水ヘッドを異なる角度に固定する回転固定部材を有し、前記出水ヘッドは、可撓性ホースを介して前記本体に接続されることを特徴とする請求項１に記載の洗浄装置。
【請求項６】
前記接続板は、前記本体と接続される一側に、前記液体の冷熱を表す少なくとも一つの表示記号が設けられることを特徴とする請求項５に記載の洗浄装置。
【請求項７】
前記２つの外部供給器は、それぞれ前記接続板に設けられたエルボパイプを介して前記本体に接続され、前記エルボパイプにより前記液体の流れる方向が変えられることを特徴とする請求項５に記載の洗浄装置。
【請求項８】
前記出水管体及び前記可撓性ホースは、前記本体の上下両側にそれぞれ取り付けられ、前記出水管体と前記可撓性ホースとの間には、選択的に前記液体を前記本体の上側又は下側へ流れさせ、前記液体を前記可撓性ホース又は前記出水管体へ流入させる切換器が設けられることを特徴とする請求項５に記載の洗浄装置。
【考案の詳細な説明】
【技術分野】
【０００１】
本考案は、シャワーベッドと組み合わせて使用する洗浄装置に関し、特に、杆体の一側又は他側を選択して出水することができるため、看護又は介護の行為を行う者にとって容易にシャワーベッドに液体を充填することができる洗浄装置に関する。
【背景技術】
【０００２】
例えば、麻痺、遷延性意識障害、脳卒中、脊椎損傷などで自ら体を動かすことができない患者は、行動、活動能力が制限されて長期間ベッド上に横たわらなければならず、患者がベッドに横たわっている期間中は、看護又は介護の行為を行う者が患者を入浴させる必要があった。実際に入浴作業を行う場合、看護又は介護の行為を行う者は車椅子又は移動ベッドにより患者を入浴室へ運んで洗体し、患者の体を拭いて乾かしてから患者を入浴室から休息室へ戻していた。
しかし、このような入浴作業では、複数人の看護又は介護の行為を行う者が協力し合って行わなければならないが、一般の入浴室の空間の大きさにより制限されるため、看護又は介護の行為を行う者にとって入浴作業は容易でなく、患者も入浴室で体が当たってしまい易かった。また、重症患者の介護には、看護又は介護の行為を行う者の大部分は患者に対して最も基本的な身体拭きしか行わなかったが、このような清拭方式のクリーニング効果には往々にして限界があった。
【０００３】
そのため、従来技術では看護又は介護の行為を行う者は、患者に対する入浴作業が容易に行えるように、シャワーベッドにより患者に入浴作業を行うが、シャワーベッドが外部の出水源から遠い場合、シャワーベッドに液体を充填する際、看護又は介護の行為を行う者はシャワーベッドと外部の出水源との間に移送管体を取付けなければならなかった。
【０００４】
実際に外部の出水源が出水作業を行う際、看護又は介護の行為を行う者は、シャワーベッドの傍らに移動して水位が上昇する状況を常に監視し、水位が患者の高さを超えないように注意する必要があった。水位が患者の高さを超える場合、看護又は介護の行為を行う者は、シャワーベッドを速やかに離れて外部の出水源を閉じ、外部の出水源の出水作業を止めなければならなかった。
しかし出水作業を速やかに止めない場合、水位が患者よりも高くなってしまい、最悪の場合、患者が溺れて死亡することがあった。そのためシャワーベッドに液体の充填作業を行う際、看護又は介護の行為を行う者はシャワーベッドと外部の出水源との間で行ったり来たりしなければならず、看護又は介護の行為を行う者にとって使い勝手が悪く、最悪の場合、移送管体により躓いて怪我をする虞もあった。
【考案の概要】
【考案が解決しようとする課題】
【０００５】
本考案の目的は、シャワーベッドに液体を充填させる際、看護又は介護の行為を行う者が外部供給器とシャワーベッドとの間を行ったり来たりする必要がなく、看護又は介護の行為を行う者がシャワーベッドの横で水位の上昇に注意することができる上、水位が患者よりも高くなりそうになったときに、看護又は介護の行為を行う者が液体がシャワーベッドへ流入するのを止めて事故の発生を防ぐことができる、洗浄装置を提供することにある。
【課題を解決するための手段】
【０００６】
上記課題を解決するために、本考案の第１の形態によれば、異なる温度の液体を供給する２つの外部供給器を組み合わせて使用可能な洗浄装置であって、ベースと、前記ベースに直立方式で取り付けられた接続杆と、を有するスタンドと、前記２つの外部供給器と連通し、前記接続杆に取り付けられるとともに、前記２つの外部供給器から供給される前記液体の流量をそれぞれ制御する２つの制御弁が設けられた本体と、前記本体と連通し、選択的に前記液体を前記接続杆の一側又は他側へ向けて出水させるように構成された出水管体とを有する出水機構と、を備えることを特徴とする洗浄装置が提供される。
【０００７】
前記接続杆は、伸縮可能な伸縮構造を有することが好ましい。
【０００８】
前記出水管体は、前記本体に枢着回転可能に接続されるとともに、前記接続杆の頂端より高い位置にある管部材と、前記管部材に形成された出水口と、を有し、前記出水口を選択的に前記接続杆の一側又は他側に位置させるように、前記管部材を前記接続杆の頂部より高い位置で３６０度旋回させることができることが好ましい。
【０００９】
前記出水管体は、分流弁を介して前記本体に取り付けられるとともに、前記接続杆の一側及び他側へ向かって延びた管部材を有し、前記管部材は、前記接続杆の一側及び他側へ向かって延びた両端にそれぞれ第１の出水口及び第２の出水口が形成され、前記分流弁により前記液体を前記第１の出水口又は前記第２の出水口へ向けて流れさせることが好ましい。
【００１０】
前記本体は、接続板を介して前記接続杆の前記ベースから離れた一端に接続され、前記接続板は、出水ヘッドを異なる角度に固定する回転固定部材を有し、前記出水ヘッドは、可撓性ホースを介して前記本体に接続されることが好ましい。
【００１１】
前記接続板は、前記本体と接続される一側に、前記液体の冷熱を表す少なくとも一つの表示記号が設けられることが好ましい。
【００１２】
前記２つの外部供給器は、それぞれ前記接続板に設けられたエルボパイプを介して前記本体に接続され、前記エルボパイプにより前記液体の流れる方向が変えられることが好ましい。
【００１３】
前記出水管体及び前記可撓性ホースは、前記本体の上下両側にそれぞれ取り付けられ、前記出水管体と前記可撓性ホースとの間には、選択的に前記液体を前記本体の上側又は下側へ流れさせ、前記液体を前記可撓性ホース又は前記出水管体へ流入させる切換器が設けられることが好ましい。
【考案の効果】
【００１４】
本考案の洗浄装置は、外部供給器を組み合わせて使用可能であり、出水管体により液体を選択的に接続杆の一側又は他側へ向けて出水を行い、シャワーベッドに液体を充填させる際、看護又は介護の行為を行う者が外部供給器とシャワーベッドとの間を行ったり来たりする必要がない。このため、看護又は介護の行為を行う者がシャワーベッドに液体を充填させ易く、シャワーベッドの横で水位の上昇状況に気を付けることができる上、水位が患者より高くなりそうになったときに、看護又は介護の行為を行う者が制御弁で液体がシャワーベッド内へ流入するのを止めて事故の発生を防ぐことができる。
【図面の簡単な説明】
【００１５】
【図１】本考案の第１実施形態に係る洗浄装置を示す斜視図である。
【図２】図１の分解斜視図である。
【図３】本考案の第１実施形態に係る洗浄装置のスタンドを示す斜視図である。
【図４】本考案の第１実施形態に係る洗浄装置の出水機構を示す分解斜視図である。
【図５Ａ】２つの制御弁及び出水口がスタンドの一側に同時に位置する状態を示す説明図である。
【図５Ｂ】２つの制御弁及び出水口がスタンドの両側にそれぞれ位置する状態を示す説明図である。
【図６】本考案の具体的な応用例を示す図である。
【図７】本考案の第２実施形態に係る洗浄装置を示す斜視図である。
【考案を実施するための形態】
【００１６】
以下、本考案の実施形態について図に基づいて説明する。なお、これによって本考案が限定されるものではない。
【００１７】
（第１実施形態）
図１及び図２を参照する。図１及び図２に示すように、本考案の第１実施形態に係る洗浄装置１は、少なくともスタンド１０、出水機構２０、第１の送水パイプ３０及び第２の送水パイプ４０から構成されてなる。
【００１８】
図２及び図３を参照する。図２及び図３に示すように、スタンド１０は、接続杆１１、ベース１２及び接続部１３を有する。
接続杆１１は、固定杆１１１を下部に有し、固定杆１１１に可動可能に取り付けられた移動杆１１２を上部に有し、移動杆１１２は固定杆１１１に対して移動させて接続杆１１の総長を増減することができる。この構成により、接続杆１１は、伸縮可能な伸縮アセンブリである。固定杆１１１は、移動杆１１２の一端に位置決めハンドル１１３が枢着回転可能に接続され、位置決めハンドル１１３が回転されて移動杆１１２に当接されると、移動杆１１２が固定杆１１１に対して移動しなくなる。
図２及び図３に示すように、固定杆１１１の内部には、ばね１１４が設けられる。ばね１１４の両端は、固定杆１１１の内部底側と、移動杆１１２の一端とにそれぞれ当接される。そのため移動杆１１２が移動し、移動杆１１２の下端が固定杆１１１の内部底側に徐々に近づくと、ばね１１４により移動杆１１２が固定杆１１１の内部底側に直接当たらなくなり、移動杆１１２が損壊することを防ぐことができる。
【００１９】
ベース１２は、固定杆１１１の位置決めハンドル１１３から離れた一端に形成される。図示するように、ベース１２は、固定杆１１１に固定される固定部材１２１を有する。固定部材１２１上には、固定杆１１１が嵌設される移動部材１２２が設けられる。上述の移動部材１２２は、固定杆１１１上で摺動可能であり、固定杆１１１に沿って選択的に固定部材１２１に近づけてもよいし離してもよい。
固定部材１２１には、複数の支持部材１２３が枢着回転可能に接続される。各支持部材１２３は、連動部材１２４を介して移動部材１２２と接続される。この構成により、移動部材１２２を固定部材１２１に近づけるに従い、連動部材１２４により支持部材１２３が固定杆１１１から徐々に離れる。
各支持部材１２３は、固定部材１２１から離れた一端が地面にそれぞれ接触され、ベース１２により接続杆１１の重量が支えられるが、これと反対に、移動部材１２２を固定部材１２１から離すに従い、連動部材１２４により支持部材１２３が固定杆１１１に徐々に近づき、各支持部材１２３は地面に接触されず、スタンド１０を小型化することができる。
【００２０】
接続部１３は、固定杆１１１の移動杆１１２から離れた一端に形成され、接続部１３の高さはベース１２より高い。図示するように、接続部１３は、移動部材１２２の前側に固定された接続板１３１と、接続板１３１に枢着回転可能に接続された旋回固定部材１３２と、を有する。
接続板１３１は、第１のエルボパイプ１３３に接続され、第１のエルボパイプ１３３の左側には第２のエルボパイプ１３４が接続される上、接続板１３１の前側には、第１のエルボパイプ１３３及び第２のエルボパイプ１３４が接続されていない領域に、第１のエルボパイプ１３３の上方に位置する第１の表示記号１３５と、第２のエルボパイプ１３４の上方に位置する第２の表示記号１３６と、が設けられている。第１の表示記号１３５は、液体の温度が低めであることを表し、第２の表示記号１３６は、液体の温度が高めであることを表している。
【００２１】
図示するように、第１のエルボパイプ１３３及び第２のエルボパイプ１３４の内部は中空状であり、第１のエルボパイプ１３３及び第２のエルボパイプ１３４の両者前側の開口方向は、出水機構２０に対向し、両者後側の開口は、スタンド１０のベース１２に対向する。旋回固定部材１３２には、凹溝１３２ａが凹設され、旋回して凹溝１３２ａの開口方向を変えることができる。
【００２２】
図２を参照する。図２に示すように、第１の送水パイプ３０の一端は、第１のエルボパイプ１３３の後側に取り付けられる。第２の送水パイプ４０の一端は、第２のエルボパイプ１３４の後側に取り付けられる。
【００２３】
図２及び図４を参照する。図２及び図４に示すように、出水機構２０は、本体２１、出水管体２２及び可撓性ホース２３を有する。
本体２１の内部は、中空状であるとともに、第１の接続管２１１、第２の接続管２１２及び混合管２１３を有する。第１の接続管２１１の後側面には、第１のエルボパイプ１３３の前側に接続される第１の接続孔２１１ａが形成され、第２の接続管２１２の後側面には、第２のエルボパイプ１３４の前側に接続される第２の接続孔２１２ａが形成され、本体２１は、接続板１３１の前側に取り付けられる。第１の接続管２１１は、接続板１３１から離れた一側に第１の制御弁２１４が取り付けられ、第２の接続管２１２は、接続板１３１から離れた一側に、第１の制御弁２１４の左側に位置するように第２の制御弁２１５が取り付けられ、第１の制御弁２１４、第２の制御弁２１５、第１の表示記号１３５及び第２の表示記号１３６のそれぞれは同時に接続板１３１の前側に位置する。
本実施形態において、第１の制御弁２１４は、第１の接続孔２１１ａを選択的に閉じ、第２の制御弁２１５は、第２の接続孔２１２ａを選択的に閉じ、第１の制御弁２１４及び第２の制御弁２１５により第１の接続孔２１１ａ及び第２の接続孔２１２ａがそれぞれ閉じられると、液体が本体２１内部に流入しなくなったり、第１の制御弁２１４及び第２の制御弁２１５により第１の接続孔２１１ａ及び第２の接続孔２１２ａの一部の領域が閉じられ、本体２１内部に進入する液体の流量を制御する。
【００２４】
混合管２１３は、第１の接続管２１１と第２の接続管２１２とを連通させ、混合管２１３は、第１の接続管２１１と第２の接続管２１２との間に位置する。混合管２１３の中央セクションの上下両側には、上接続孔２１３ａ及び下接続孔２１３ｂがそれぞれ形成され、上接続孔２１３ａと下接続孔２１３ｂとの間には、混合管２１３が取り付けられた切換器２１６が設けられている。切換器２１６は、単独で液体が上接続孔２１３ａ又は下接続孔２１３ｂへ流れることを制限することができる。
【００２５】
図示するように、出水管体２２は、上接続孔２１３ａに枢着回転可能に接続される継手管２２１を有する。継手管２２１には、接続部１３より高い管部材２２２が延設され、出水管体２２の外観がＬ字状を呈し、管部材２２２の末端には、出水口２２３が設けられる。
出水管体２２の内部は、本体２１の内部に連通する。可撓性ホース２３は、本体２１の下接続孔２１３ｂに一端が取り付けられ、凹溝１３２ａに取り付けられた出水ヘッド２３１が他端に取り付けられる。出水ヘッド２３１は、出水スイッチ２３２を有する。出水ヘッド２３１から流出する液体は、出水スイッチ２３２により制御される。
【００２６】
図５Ａを参照する。図５Ａに示すように、第１の制御弁２１４及び第２の制御弁２１５の両者は、出水管体２２の出水口２２３とともにスタンド１０の前側に位置するとともに、出水管体２２の継手管２２１が本体２１の上接続孔２１３ａに枢着回転可能に接続され、出水管体２２が上接続孔２１３ａを軸心として旋回する際、管部材２２２の高さがスタンド１０の接続部１３より高いため、管部材２２２が接続部１３より高い位置にあり、出水管体２２が接続部１３により妨げられずに、本体２１に対して３６０度回転することができる。
図５Ｂを参照する。図５Ｂに示すように、出水口２２３が旋回されてスタンド１０の前側からスタンド１０の後側へ移動し、出水口２２３がスタンド１０の後側に位置しても、第１の制御弁２１４及び第２の制御弁２１５は依然としてスタンド１０の前側に位置し、制御弁２１４，２１５及び出水口２２３は、スタンド１０の反対側にそれぞれ位置する。
【００２７】
図６を参照する。図６に示すように、第１の送水パイプ３０には、第１のエルボパイプ１３３から離れた一端に第１の外部供給器５０が取り付けられる。第２の送水パイプ４０は、第２のエルボパイプ１３４から離れた一端に第２の外部供給器６０が取り付けられる。その後、出水管体２２を旋回させて出水口２２３をシャワーベッド７０の内部へ向けると、出水口２２３は単独でスタンド１０の後側に位置し、第１の制御弁２１４及び第２の制御弁２１５の両者はスタンド１０の前側に位置する。
【００２８】
第１の外部供給器５０は、第１の液体を供給する。この第１の液体は、第１の送水パイプ３０から第１のエルボパイプ１３３へ流入し、上述した第１の液体は、第１のエルボパイプ１３３を介して液体が流れる方向を変え、出水機構２０の第１の接続管２１１内部へ流入する。第２の外部供給器６０は、上述した第１の液体より温度が高い第２の液体を供給し、上述した第２の液体は第２の送水パイプ４０を介して第２のエルボパイプ１３４へ流入する。上述した第２の液体は第２のエルボパイプ１３４を介して流れる方向が変わり、第２の接続管２１２の内部に流入した後、上述した第１の液体及び第２の液体の両者が混合管２１３の内部へ流入し、上述した混合管２１３内部で第１の液体と第２の液体とが混合され、第１の液体と第２の液体との間の温度の第３の液体が作られ、上述した第３の液体が出水管体２２へ流入してから出水口２２３から排出され、シャワーベッド７０に液体を充填し始める。
【００２９】
シャワーベッド７０内部の水位が患者よりも高くなると、第１の制御弁２１４及び第２の制御弁２１５の両者により第１の接続孔２１１ａ及び第２の接続孔２１２ａをそれぞれ閉じ、上述した第１の液体及び第２の液体が本体２１の内部に流入することを止め、上述した第３の液体が出水口２２３から排出されないようにし、シャワーベッド７０内の水位が上昇し続けることを直ちに停止することができる。
さらに、上述した第３の液体が混合管２１３内部に流入する際、切換器２１６により液体が流れる方向を変え、上述した第３の液体が可撓性ホース２３へ流入し、上述した第３の液体が出水ヘッド２３１から流出するため、看護又は介護の行為を行う者は、出水ヘッド２３１により患者に対して入浴作業を行うことができる。
【００３０】
（第２実施形態）
図７を参照する。図７に示すように、本考案の第２実施形態に係る洗浄装置は、出水機構２０の出水管体２２が第１実施形態と異なるが、スタンド１０、第１の送水パイプ３０及び第２の送水パイプ４０は第１実施形態と同じであるため、ここでは詳しく述べない。
【００３１】
図７に示すように、出水管体２２の継手管２２１は、混合管２１３の上接続孔２１３ａに連結固定され、継手管２２１と管部材２２２との交接箇所には分流弁２２４が設けられ、管部材２２２は、分流弁２２４の前後両側に第１のセクション２２２ａ及び第２のセクション２２２ｂがそれぞれ形成され、出水管体２２の全体の外観がＴ字状を呈する。
【００３２】
第１のセクション２２２ａの末端には、接続杆１１の前側に位置する第１の出水口２２５が形成される。第２のセクション２２２ｂの末端には、接続杆１１の後側に位置する第２の出水口２２６が形成される。分流弁２２４は、選択的に液体を第１の出水口２２５又は第２の出水口２２６へ流すが、実際の応用では上述した第３の液体が出水管体２２の継手管２２１へ流入する際、分流弁２２４により第１のセクション２２２ａ又は第２のセクション２２２ｂへの流入を決定する。  
【００３３】
当該分野の技術を熟知するものが理解できるように、本考案の好適な実施形態を前述の通り開示したが、これらは決して本考案を限定するものではない。本考案の主旨と領域を逸脱しない範囲内で各種の変更や修正を加えることができる。従って、本考案の実用新案登録請求の範囲は、このような変更や修正を含めて広く解釈されるべきである。
【符号の説明】
【００３４】
１  洗浄装置
１０  スタンド
１１  接続杆
１２  ベース
１３  接続部
２０  出水機構
２１  本体
２２  出水管体
２３  可撓性ホース
３０  第１の送水パイプ
４０  第２の送水パイプ
５０  第１の外部供給器
６０  第２の外部供給器
７０  シャワーベッド
１１１  固定杆
１１２  移動杆
１１３  位置決めハンドル
１１４  ばね
１２１  固定部材
１２２  移動部材
１２３  支持部材
１２４  連動部材
１３１  接続板
１３２  旋回固定部材
１３２ａ  凹溝
１３３  第１のエルボパイプ
１３４  第２のエルボパイプ
１３５  第１の表示記号
１３６  第２の表示記号
２１１  第１の接続管
２１１ａ  第１の接続孔
２１２  第２の接続管
２１２ａ  第２の接続孔
２１３  混合管
２１３ａ  上接続孔
２１３ｂ  下接続孔
２１４  第１の制御弁
２１５  第２の制御弁
２１６  切換器
２２１  継手管
２２２  管部材
２２２ａ  第１のセクション
２２２ｂ  第２のセクション
２２３  出水口
２２４  分流弁
２２５  第１の出水口
２２６  第２の出水口
２３１  出水ヘッド
２３２  出水スイッチ
【図１】
0003213348.tif 000003
【図２】
0003213348.tif 000004
【図３】
0003213348.tif 000005
【図４】
0003213348.tif 000006
【図５Ａ】
0003213348.tif 000007
【図５Ｂ】
0003213348.tif 000008
【図６】
0003213348.tif 000009
【図７】
0003213348.tif 000010